(57)【要約】【課題】遊技機又は遊技機の周辺機器の状態を特定し易くすることができる遊技場用システムを提供する。【解決手段】島端表示装置７は、遊技機側の特別機器が特別状態である場合、当該特別状態の種類をその特別機器の位置に対応付けて区分した表示領域に表示報知する。これにより、特別状態となっている特別機器を直接見なくとも、島端表示装置７を見れば特別状態の種類及び特別機器の位置を特定し易く、特別状態への対応を素早く行うことが可能となる。【選択図】図３
2015188631.tif 000002
【特許請求の範囲】
【請求項１】
遊技機が複数設置された遊技島と、
前記遊技機、及び当該遊技機に１対１で対応付けて設けられた周辺機器の少なくとも一方である特別機器の状態が、予め定められた複数種類の状態のうちのいずれかである特別状態であることを、当該特別状態である前記特別機器を識別可能に特定する特別機器特定手段と、
前記特別機器が前記特別状態である場合に、当該特別状態が前記複数種類の状態のうちのいずれであるかを特定する特別状態特定手段と、
前記遊技島に設けられ、表示領域を有した表示手段と、
前記遊技島における複数の前記特別機器の位置関係に応じて前記表示領域を前記特別機器に対応付けて区分すると共に、遊技島に設けられた前記特別機器の数が前記表示領域の区分数よりも多い場合には、区分した一の表示領域に複数の前記特別機器を対応付ける区分手段と、を備え、
前記表示手段は、前記特別機器が前記特別状態である場合、当該特別機器の位置に対応付けて区分した前記表示領域においてその特別状態の種類を表示することを特徴とする遊技場用システム。
【請求項２】
前記表示手段は、前記区分手段が区分した一の前記表示領域に対応付けた複数の特別機器のうち、一の前記特別機器が前記特別状態である場合、当該一の表示領域にて当該特別状態の種類を特定可能に報知する一方、区分した一の表示領域に対応付けた複数の特別機器において前記特別状態である前記特別機器が複数存在する場合、当該一の表示領域にて前記特別状態の種類のうち予め定められた優先度の高い種類を特定可能に報知することを特徴とする請求項１に記載した遊技場用システム。
【請求項３】
前記表示手段の表示領域は、複数の発光体を並べて配置することで構成されており、前記遊技島において並べて配置された複数の前記特別機器の位置に対応付けてそれら複数の発光体を区分することを特徴とする請求項１又は２に記載した遊技場用システム。
【発明の詳細な説明】
【技術分野】
【０００１】
本発明は、複数の遊技機で構成される遊技島を設けた遊技場用システムに関する。
【背景技術】
【０００２】
遊技場では、遊技機を複数設けると共に、当該遊技機に１対１で対応付けて呼出ランプ（周辺機器）を設けている。呼出ランプでは、遊技機にて遊技を行う遊技者の呼出操作に応じてランプが発光する等の呼出表示を行っている。遊技場の管理者は、呼出ランプの呼出表示を認識することで、遊技者が管理者を呼び出していることを理解することができる（例えば特許文献１参照）。
【先行技術文献】
【特許文献】
【０００３】
【特許文献１】特開２０１２−２２３３９３号公報
【発明の概要】
【発明が解決しようとする課題】
【０００４】
しかしながら、呼出ランプは遊技機の上方に設けられており、呼出ランプにて呼出表示が行われていることが呼出ランプから離れた位置では特定しにくいという問題がある。この問題は、呼出ランプの呼出表示だけでなく、遊技機の異常発生等、遊技機や遊技機の周辺機器における状態を特定しようとする場合に該当し得る。
【０００５】
本発明は、上記した事情に鑑みてなされたものであり、その目的は、遊技機又は遊技機の周辺機器の状態を特定し易くすることができる遊技場用システムを提供することにある。
【課題を解決するための手段】
【０００６】
本発明の遊技場用システムは、遊技機が複数設置された遊技島と、前記遊技機、及び当該遊技機に１対１で対応付けて設けられた周辺機器の少なくとも一方である特別機器の状態が、予め定められた複数種類の状態のうちのいずれかである特別状態であることを、当該特別状態である前記特別機器を識別可能に特定する特別機器特定手段と、前記特別機器が前記特別状態である場合に、当該特別状態が前記複数種類の状態のうちのいずれであるかを特定する特別状態特定手段と、前記遊技島に設けられ、表示領域を有した表示手段と、前記遊技島における複数の前記特別機器の位置関係に応じて前記表示領域を前記特別機器に対応付けて区分すると共に、遊技島に設けられた前記特別機器の数が前記表示領域の区分数よりも多い場合には、区分した一の表示領域に複数の前記特別機器を対応付ける区分手段と、を備え、前記表示手段は、前記特別機器が前記特別状態である場合、当該特別機器の位置に対応付けて区分した前記表示領域においてその特別状態の種類を表示する（請求項１）。
【０００７】
請求項１記載の遊技場用システムにおいて、
前記表示手段は、前記区分手段が区分した一の前記表示領域に対応付けた複数の特別機器のうち、一の前記特別機器が前記特別状態である場合、当該一の表示領域にて当該特別状態の種類を特定可能に報知する一方、区分した一の表示領域に対応付けた複数の特別機器において前記特別状態である前記特別機器が複数存在する場合、当該一の表示領域にて前記特別状態の種類のうち予め定められた優先度の高い種類を特定可能に報知するようにしてもよい（請求項２）。
【０００８】
請求項１又は２記載の遊技場用システムにおいて、
前記表示手段の表示領域は、複数の発光体を並べて配置することで構成されており、前記遊技島において並べて配置された複数の前記特別機器の位置に対応付けてそれら複数の発光体を区分するようにしてもよい（請求項３）。
【発明の効果】
【０００９】
請求項１の発明によれば、特別状態となっている特別機器を直接見なくとも、表示手段を見れば特別状態の種類及び特別機器の位置を特定し易く、特別状態への対応を素早く行うことが可能となる。また、遊技島に区分数以上の遊技機器を設置する場合には、区分した一の表示領域に複数の遊技機器を対応付けるため、区分数と遊技機器の数を完全に同数とする必要がなく、遊技島の配置や表示手段の表示態様の自由度を高くすることが可能となる。
【００１０】
区分した一の表示領域に複数の特別機器を対応付けている場合、それら複数の特別機器において特別状態となった特別機器が複数発生すると、一の表示領域で表示報知しきれなくなってしまい、重要度の高い特別状態の発生が特定しにくくなるおそれがある。これに対して、請求項２の発明によれば、優先度の高い特別状態の種類ついては最低限特定可能に報知を行うので、重要度の高い特別状態の発生が特定できなくなることを抑制できる。
【００１１】
請求項３の発明によれば、発光体を並べることで表示領域を構成するため、発光体の数までしか表示領域を区分できなくなってしまうが、上記した請求項１や請求項２の構成を適用することで、表示領域の区分数が比較的少ないとしても区分数以上の遊技機器の設置に対応することが可能となる。
【図面の簡単な説明】
【００１２】
【図１】本発明の一実施形態を示す全体構成図
【図２】平面視における遊技島と島端表示装置の配置例を示す模式図
【図３】（ａ）及び（ｂ）は、島端表示装置における構成図及び表示例を示す図
【図４】（ａ）及び（ｂ）は、島端表示装置における液晶表示部の表示例を示す図
【図５】液晶表示部の説明図
【図６】液晶表示部の画面を表すもので、（ａ）〜（ｃ）は画面遷移図、（ｄ）は台データ一覧画面において区分された一の表示領域の拡大図
【図７】台データに係る表示項目の説明図
【図８】液晶表示部の画面の一例を示す図
【図９】ＬＥＤ表示部による表示項目と表示パターンの説明図
【図１０】ＬＥＤ毎の表示項目と表示パターンの説明図
【図１１】ＬＥＤ表示部による表示項目の優先順位の説明図
【図１２】カードストック表示画面の図
【図１３】新台アピール画面の図
【図１４】島端表示装置の状態遷移図
【図１５】ＬＥＤ表示部と液晶表示部の報知態様を示す図
【発明を実施するための形態】
【００１３】
以下、本発明の一実施形態について図面を参照して説明する。図１は、遊技場用システムの全体構成を示す概略図である。遊技場内には、多数の遊技機１が設置されており、各遊技機１に１対１で対応する周辺機器として、貸出機２及び呼出ランプ３が設置されている。遊技機１は呼出ランプ３に接続され、その呼出ランプ３及び貸出機２は、中継装置４に接続されている。この場合、２台の遊技機１、２台の貸出機２及び２台の呼出ランプ３は、１台の中継装置４で中継されている。中継装置４は、ＬＡＮ５を介して管理装置６及び島端表示装置７に接続されている。
【００１４】
遊技場には景品交換装置（以下、ＰＯＳ）８及び残高精算機９も設置されており、ＬＡＮ５を介して管理装置６と接続されている。ＰＯＳ８はタッチパネル式のモニタを備えており、付属するカードリーダライタにより読取ったＩＣカードからなる一般カード１０に記録されている遊技価値に基づいて特定される景品交換価値に基づき景品交換処理を実行する。残高精算機９は、一般カード１０がカード挿入口９ａに挿入されたときは、当該一般カード１０に記録された入金残高を返却口９ｂから返却すると共に当該一般カード１０を回収する。
【００１５】
管理装置６は、遊技場内の例えば事務室等に設置されており、遊技場の管理者が操作するキーボード６ａ、モニタ６ｂ、図示しないプリンタ等が接続されている。管理装置６は、上記した遊技機１、貸出機２、呼出ランプ３等（これらを遊技機側の特別機器とする）の状況を管理する。これら遊技機側から出力は、何れの機器１，２，３から出力された信号であるかを識別可能な識別信号（例えば機器ＩＤ）を含む。具体的には例えば、貸出機２が異常信号を出力する場合、その異常信号と共に管理ＩＤとしての機器ＩＤも出力する。或いは、遊技機側からの出力に機器ＩＤが含まれていなくても、中継装置４等において、遊技機側からの出力に基づき何れの機器１〜３の出力か識別するように構成してもよい。
【００１６】
こうして、管理装置６は、遊技機側からの信号に基づいて、遊技機１を含む各機器１〜３の状況や、遊技者毎の遊技価値の大きさ（持玉・貯玉（会員の場合））を記憶管理する。また、詳しくは後述するように、島端表示装置７は、遊技機側から異常信号等の各種信号が入力されることで、各機器１〜３の状態を当該機器１〜３毎に識別して特定するようになっている。尚、遊技場内には、所謂パチスロ機も含めて例えば数百台の遊技機１が設置されており、それぞれ管理装置６の管理対象或いは島端表示装置７の特定対象となっている。
【００１７】
遊技機１として図１に示すＣＲ（カードリーダ）パチンコ機は、盤面１３に玉を発射する発射装置を構成する操作ハンドル１４、上部受皿１５、下部受皿１６を有すると共に、盤面１３に、液晶表示部１７、普図入賞口１８、第１始動口１９、第２始動口２０、大入賞口２１を有する。また、上部受皿１５の上面部には遊技者が操作可能な貸出釦１５ａ及び返却釦１５ｂが並んで設けられている。このようなパチンコ機或いはパチスロ機は、遊技の実行に応じて例えば大当たりやボーナス状態等になり、各種の遊技信号を中継装置４へ送信する。
【００１８】
貸出機２は、遊技機１の遊技状態等を示す状態表示部２２、紙幣（貨幣）の投入を受け付ける紙幣投入口２３、遊技者からの操作入力を受付けると共に遊技の進行に伴って図柄変動回数（スタート回数）や大当り確率等の遊技データを表示するタッチパネル式の液晶表示部２４、持玉及び貯玉を払出すための払出釦２５、払出された玉が通過する払出ノズル２６、一般カード１０及び図示しない会員カードが挿入されるカード挿入口２７を備えている。貸出機２は、所謂各台計数機能付の貸出機として構成されており、遊技機１の下部受皿１６の下方に位置する着脱可能な計数受皿２８等を備えている。また、貸出機２は、カード挿入口２７に対して複数（例えば１０枚）の一般カード１０がストック可能に挿入される。
【００１９】
これら遊技機側の機器１，２からは、周知のように、例えば使用された遊技媒体の数を特定可能なアウト信号、付与された遊技媒体の数を特定可能なセーフ信号、遊技機１の遊技状態を特定可能な状態信号、或いは売上げを特定可能な売上信号等が出力される。また、遊技機側において、玉詰まり等の異常が検知されると、その異常信号が出力される。
【００２０】
呼出ランプ３は、データ表示部３ａ及び複数の操作スイッチ部３ｂ、並びにリモコン受光部３ｃを備える。データ表示部３ａには、遊技機１から呼出ランプ３に入力される信号に基づき集計した遊技情報等、各種の情報が表示される。複数の操作スイッチ部３ｂは、データ表示部３ａの表示内容を切替えたり、遊技者が遊技場の従業員を呼出すため等に操作される。また、従業員が携帯するリモコン１２によって、後述する空台信号等の種々の信号が、呼出ランプ３のリモコン受光部３ｃに向けて送信される。また、リモコン１２は、後述する島端表示装置７のリモコン受光部（図示略）に向けて種々の信号の送信が可能とされている。尚、リモコン１２は、呼出ランプ３用及び島端表示装置７用として兼用しても、夫々別個のリモコンを用いる構成としてもよい。
【００２１】
さて、遊技場内の各遊技島１１には、図２に例示するように８０台の遊技機１が設置されている。各遊技島１１の島端（同図で下端の入口側）には、左側に「１」〜「４０」で表わす４０台の遊技機１に対応する島端表示装置７Ｌと、右側に「４１」〜「８０」で表わす４０台の遊技機１に対応する島端表示装置７Ｒとが設置されている。
【００２２】
ここで、図３（ａ）は、左側の島端表示装置７Ｌを模式的に示している。同図に示すように、島端表示装置７Ｌは、その装置本体３０の前面側に設けられた液晶表示部３１と、装置本体３０左側の連結部３０ａで連結されたＬＥＤ表示部３２とを備える。液晶表示部３１は、例えばフルカラー表示が可能で且つ上下方向に延びる縦型の液晶ディスプレイからなる。また、液晶表示部３１は、その前面側にタッチパネル３１ａを備えるタッチパネル式のものである。ＬＥＤ表示部３２は、図３（ａ）中、「１」〜「２０」で示すＬＥＤ群３２ｍと、その上部のＬＥＤ３２ｕ及び下部のＬＥＤ３２ｄとを有する。具体的には、ＬＥＤ群３２ｍを構成する例えば２０個のＬＥＤ１〜２０、並びに上部及び下部のＬＥＤ３２ｕ，３２ｄは、液晶表示部３１に沿って縦に並べて配置されており、何れの光源（発光体）も発光色の可変可能なフルカラーＬＥＤ（多色ＬＥＤ）で構成されている（図３（ｂ）参照）。尚、ＬＥＤ表示部３２は、遊技島１１における遊技機１の位置に対応付けて区分した構成であればよく、ＬＥＤ群３２ｍのみで構成する等、適宜変更してもよい。
【００２３】
一方、右側の島端表示装置７Ｒは、装置本体３０の右側にＬＥＤ表示部３２を連結してなる。島端表示装置７Ｒのその余の構成は、上記した島端表示装置７Ｌと同じであるため、詳細な説明は省略する。
【００２４】
本実施形態の島端表示装置７Ｌ，７Ｒ（これらを島端表示装置７と総称する）は、上記のように表示領域として液晶表示部３１及びＬＥＤ表示部３２（表示手段）を有して構成されている。また、島端表示装置７は、マイクロコンピュータを主体に構成された制御部（特別機器特定手段、特別状態特定手段、区分手段）を有する。そして、島端表示装置７の制御部は、各表示部３１、３２での表示領域を、遊技島１１の遊技機１の配置に対応付けて区分すると共に、その区分した一の表示領域（分割領域）にて、該当する遊技機１に係る情報を報知する表示報知動作を実行する（図３（ｂ）参照）。この島端表示装置７の構成について、「１．機種名表示画面」、「１´．付加情報画面」、「２．人感センサ・オン画面」、「３．台データ一覧画面」、「４．割込画面」、「５．カードストック表示画面」、「６．新台アピール画面」の順に説明する。
【００２５】
１．機種名表示画面（番組画面）
図４（ａ）は、島端表示装置７の液晶表示部３１の機種名表示画面であって、遊技場にて登録した動画等の番組コンテンツの一例を示している。機種名表示画面では、「機種名」、「種別」、「タイプ」、及び「設置台数」の各表示３６ａ、３６ｂ、３６ｃ、３６ｄがなされる。「機種名」の表示３６ａは、遊技島１１に導入されている遊技機１の機種名であり、「種別」の表示３６ｂは、貸単価の種別、或いは遊技玉やメダルの種別を表す。また、「タイプ」の表示３６ｃは、所謂ＭＡＸタイプ、ミドルタイプといったスペックや大当り確率等を表し、「設置台数」の表示３６ｄは、当該遊技島１１における遊技機１の設置台数を表す。これらの表示３６ａ〜３６ｄを、以下では機種名等表示と称する。また、機種名表示画面では、背景動画をループ再生により繰り返し表示してもよい。
【００２６】
機種名表示画面は、後述する人感センサ・オン画面の後に表示される。これにより、遊技場における通路Ｗ（図２参照）から、遊技島１１に設置されている遊技機１の機種名、種別、タイプ、設置台数を把握することができる。尚、島端表示装置７には、その表示内容や設定を行うための設定手段（操作入力部）が設けられており、種別、タイプや、各種の設定等の変更が可能である。この設定手段によって、表示に関する多様性をもたせるバラエティ設定と当該設定の解除を行うことで、人感センサ・オン画面後の機種名表示画面の表示の有無が設定される。
【００２７】
また、詳しくは後述するように、機種名表示画面では、例えば新台として導入された遊技機１と新台以外の遊技機１との間で、その機種名等表示に関するレイアウト、デザイン、背景動画の動作等を変えて表示することで、当該新台等をアピールすることができる。例えば後述する付加情報画面（図３（ｂ）参照）では、縦の倍率を変更した機種名等の表示３６ａ〜３６ｄに、付加情報として新台（準新台）の表示３６ｅ、３６ｆが付加される。尚、図示は省略するが、機種名表示画面には、台データ表示キーが設けられており、タッチパネル３１ａにおいて、台データ表示キーがタッチ操作（以下、タッチパネル３１ａのタッチ操作を画面タッチと称す）されることで、後述する台データ一覧画面に遷移する。また、液晶表示部３１では例えば、前記人感センサが２０秒間反応せず、且つ、画面タッチが２０秒間ない場合、予め規定された優先順位に従い画面遷移が自動的に行われる。
【００２８】
ここで、図４（ｂ）は、遊技島１１に複数の機種が導入されている場合における、機種名表示画面を示している。具体的には例えば、遊技島１１左側の４０台の遊技機１は、遊技島１１の奥方から順に（図２の上側から順に）機種Ａの１６台と、機種Ｂの４台と、機種Ｃの１４台と、機種Ｄの６台とが並ぶ配置にあるとする。この場合、機種名表示画面では、機種Ａ〜Ｄの配置に対応させて、上側から順に機種名等表示を当該機種Ａ〜Ｄの割合（台数）に応じて区分した分割領域に表示する。このように、機種名表示画面では、遊技島１１における遊技機１の位置関係と、遊技機１の全設置台数に対する機種毎の設置台数の割合に合わせて区分され、機種毎の表示領域の大きさは、その実際の割合と略一致する。
【００２９】
また、機種名表示画面では、１画面で表示する最大機種数（例えば２５機種まで）が設定されるものとする。仮に、遊技島１１に遊技機１が２６機種以上設置されるときには、機種名表示画面に、例えば２０機種まで１画面（１頁）で表示すると共に、上下方向及び左右方向へのスクロールキー（図示略）を表示する。そして、所謂頁送りや行送りを、スクロールキーの画面タッチで行うことで、２頁以降の機種（２１機種以降）を機種名表示画面に表示させる構成とする。この場合、上記のように、機種名表示画面では、遊技島１１の一番奥方の遊技機１が最上端に表示されるため、一番手前の遊技機１に対応する表示つまり最下端までスクロールされた時点で、その頁送りが止まるようになっている。
【００３０】
機種名表示画面では、例えば２６機種以上の表示を最小サイズの文字で行う等、文字のレイアウトを含む全体のレイアウトパターンが予め規定されている。例えば、島端表示装置７では、登録可能な機種数を最大で９９９とし、機種名表示画面で、それら機種毎に機種名、種別、タイプ、設置台数、新台・準新台情報を表示する。レイアウトパターンは、見栄え、画像点数、視認性、機能等を考慮し、極力少ないパターン（図５の例では（ａ）〜（ｃ）の３パターン）で定義しておく。即ち、島端表示装置７の制御部は、前記機種毎の設置台数の割合を算出する。そして、制御部は、算出した値に基づいて、当該割合が５０％を超える機種の場合、（ａ）に示すように機種名を縦書き、文字の大きさを最大サイズに設定して、該当する機種の表示位置に合わせて表示する。（ｂ）に示すように、設置台数の割合が３％を超え且つ５０％以下の機種の場合、その機種名を横書きとし、文字の大きさを中サイズに設定して、該当する機種の表示位置に合わせて表示する。また、（ｃ）に示すように、設置台数の割合が３％以下の機種の場合、その機種名を横書きとし、文字の大きさを最小サイズに設定して、該当する機種の表示位置に合わせて表示する。
【００３１】
１´．付加情報画面（情報画面）
島端表示装置７では所定の条件を満たす場合、図３（ｂ）、図６（ａ）に示すように機種名表示画面に付加情報の表示３６ｅ、３６ｆがなされた付加情報画面を表示する。具体的には例えば、遊技島１１における遊技機１の入れ替えに伴い新台（或いは新台に準ずる準新台）として島端表示装置７に登録（設定）されていることを条件に、各表示３６ａ〜３６ｄの縦方向の表示倍率を縮小して、下に空けたスペースに「新台（準新台）」の表示３６ｅを行うと共に、該当する機種の分割領域に「新台（準新台）」の表示３６ｆを付加する。このうち、下側の表示３６ｅ領域では、新台や準新台を表す演出を静止画或いは動画で行うと共に、その演出に合わせたＬＥＤ表示部３２での表示を行う。
【００３２】
下部ＬＥＤ３２ｄは、「新台」の表示３６ｅが行われる領域の高さ寸法に対応しており、係る表示３６ｅに合わせて発光させる。このように、ＬＥＤ表示部３２は、下側のＬＥＤ３２ｄと上側のＬＥＤ３２ｕ、３２ｍとで発光態様（発光色や照明方法）を異ならせることにより、新台に係る演出効果を高めるように構成されている。このとき、ＬＥＤ表示部３２での当該下側での表示は、図３（ｂ）に示すように、必ずしも液晶表示部３１における表示３６ｅの高さに一致させる必要はなく、例えばＬＥＤ群３２ｍの下側４つのＬＥＤ（図３（ａ）の「１７」〜「２０」のＬＥＤ）及び下部ＬＥＤ３２ｄの発光態様を、表示３６ｅに係る演出（動画）に合わせて連動させる構成としてもよい。新台・準新台に係る演出は、該当する機種が複数登録されている場合、新台→準新台の順に所定時間１機種ずつ実行する。
【００３３】
上記した液晶表示部３１における付加情報としての表示３６ｅは、新台に関する条件以外に、稼働率（アウトにより特定）、空台、及びメイン機種に関する条件を満たすと判断した場合にも実行する。即ち、遊技島１１における稼働率が、予め設定された設定値を超えることを条件に、高稼働時の演出を液晶表示部３１の表示３６ｅとＬＥＤ表示部３２とで行う。高稼働時の演出は、稼働率が設定値以下になるまで実行される。遊技場係員がリモコン１２により、空台信号を呼出ランプ３のリモコン受光部３ｃに向けて送信すると、当該遊技島１１の遊技機１の空台信号として特定されることを条件に、空台を報知する演出を液晶表示部３１の表示３６ｅとＬＥＤ表示部３２とで行う。空台に係る演出は、遊技機側からの信号に基づき島端表示装置７により空台が無いと判断されるまで実行される。遊技島１１に遊技場でメインとなる機種が登録されていることを条件に、メイン機種を表す演出を液晶表示部３１の表示３６ｅとＬＥＤ表示部３２とで行う。メイン機種に係る演出は、該当する機種が複数登録されている場合、その機種の導入日が新しい順或いは導入台数が多い順に所定時間１機種ずつ実行する。
【００３４】
島端表示装置７において、上記した稼働率、空台、新台・準新台、メイン機種に係る夫々の演出の有無の設定や、稼働率等の設定変更が可能とされており、夫々の条件を満たす場合、高稼働演出→空台演出→新台・準新台演出→メイン機種演出の順に繰返し実行される。
【００３５】
２．人感センサ・オン画面
島端表示装置７の前に遊技者が来ると、当該表示装置７は、図示しない人感センサがオンとなることにより遊技者を検出し、液晶表示部３１に人感センサ・オン画面を表示する（図６（ｂ）参照）。この場合、人感センサ・オン画面では動画を再生し、ＬＥＤ表示部３２での発光態様を液晶表示部３１で動画に連動させる演出が実行される。これにより、島端表示装置７の表示画面に対する遊技者の関心を喚起できる。詳しくは後述するが、島端表示装置７は、人感センサ（或いは画面タッチ）の検知前は、表示部３１，３２において島内機種名画面等の番組や、新台アピール画面等が表示されるようになっている（図６（ａ）参照）。尚、「番組」とは液晶表示部３１の表示演目を称するものであり、番組画面は、機種名表示画面の他、ビデオやテレビ番組等の映像であってもよい（図１３参照）。
【００３６】
３．台データ一覧画面
前記番組画面で画面タッチが行われたり、機種名表示画面で前記台データ表示キーが画面タッチされた場合、或いは人感センサ・オン画面が表示された場合、その後、液晶表示部３１には台データ一覧画面が表示される。図６（ｃ）は、１画面あたり２０台分の遊技機１のデータを表示した台データ一覧画面を例示している。同図に示すように、島端表示装置７は、台データ一覧画面の表示領域についても、遊技島１１の遊技機１の配置に対応付けて区分し、遊技島１１奥方から手前側までの遊技機１のデータを、当該表示領域の上方から下方にわたって表示する。
【００３７】
図６（ｄ）は、台データ一覧画面において区分された一の分割領域の拡大図であり、図７は、その表示項目の説明図である。当該表示領域には例えば、遊技機１毎に割り当てられた４桁の台番の表示３７ａと、その遊技機１の機種名の表示３７ｂと、ゲージの表示３７ｃと、稼働状態の表示３７ｄとがなされる。このうち、稼働状態の表示３７ｄは、図７にも示すように「空台」や「特賞中」等、現在の遊技機１の状態を表わし、該当する状態が複数存在する場合、空台＞食事中＞特賞中＞稼働＞非稼働の優先順位に従って表示される。また、ゲージの表示３７ｃについて、図７の「Ｐ」と「Ｇ」は、パチンコ機とパチスロ機に対応しており、「大当回数」と「ＢＢ回数（その他ＡＲＴ回数等）」を表す第１データ項目、「最高出玉」や「出玉」を表す出玉データ項目、「持ち玉（持箱）」と「持ちメダル（持箱）」を表す計数データ項目を含む。これら各項目は、夫々表示・非表示の設定が可能とされており、係る表示の設定がなされた項目は、当日の台データとして所定時間（例えば１〜２分おきに（或いは１〜２分ずつ））ローテーション表示する。このゲージの表示３７ｃには、最大値を超えた場合に「ＯＶＥＲ」の文字と矢印（図６（ｄ）参照）が付される。このように、台データ一覧画面は、遊技島１１における遊技機１の位置関係や機種等の情報が識別しやすいように、区切り（区分線Ｌ）や文字、図表といったデザインを用いて構成され、表示内容は、遊技機側からの入力信号に基づき随時更新される。
【００３８】
島端表示装置７は、台データ一覧画面で表示する遊技島１１の遊技機１が２０台未満の場合、その台数分のデータを台データ一覧画面（表示領域内）に均等に区分して表示する。このとき、区分された上下に隣合う表示領域間に、背景画像を表示するスペースを設けるようにしてもよい。これに対し、台データ一覧画面で表示する遊技機１が２１台以上の場合、当該一覧画面に、例えば１５台まで１画面（１頁）で表示すると共に、上下方向及び左右方向へのスクロールキー（図示略）を表示する。そして、頁送りや行送りを、スクロールキーの画面タッチで行うことで、２頁以降の機種（１６台目以降）を台データ一覧画面に表示させる。この台データ一覧画面（機種名表示画面も同様）の頁送りや行送りを、例えばスクロールバーや矢印キー等の複数種類のスクロールキー、或いは装置本体３０に設けた操作釦（何れも図示略）で行うものとし、その種類に応じて上下方向に一区切り（１台分）ずつスクロールさせたり、１頁ずつスクロールさせるようになっている。また、液晶表示部３１では、各画面において、上下方向或いは左右方向の端までスクロールされる際に、頁（行）をスライドさせるアニメーション（スライドアニメーション）として表示される。台データ一覧画面から他の画面への遷移は、機種名表示画面と同様、人感センサによる検知や画面タッチの検知等に基づき自動的に行われる。
【００３９】
４．割込画面（割込番組画面）
島端表示装置７では、遊技機側からの入力信号等に基づき、所定の事象つまりイベント（処理要求）があると判断した場合、割込画面に遷移する。図８は、機種名表示画面から遷移した割込画面の一例を示している。同図に示すように、割込画面の表示領域は、機種名表示画面の表示３６ａ〜３６ｄの縦方向及び横方向の表示倍率を縮小して、左側のヴィジュアル表示領域４０ａと、上側の経過時間表示領域４０ｂと、下側の呼出内容表示領域４０ｃとを設けてなる。尚、ヴィジュアル表示領域４０ａは、遊技島１１に対する設置位置に応じて（ＬＥＤ表示部３２の取付け位置側に寄せるように）、割込画面の右側領域への表示切替えが可能に設定される。
【００４０】
島端表示装置７は、ヴィジュアル表示領域４０ａを台データ一覧画面等と同様に遊技島１１における遊技機１の設置台数に応じて複数領域（図８の例では１６領域）に区分し、係る遊技機側の状態を遊技機１毎の表示領域で表示する。具体的には、ヴィジュアル表示領域４０ａは、分割領域数（区分数）の最大値が３０に設定され、３０台以上の遊技機１の場合、２０分割として各分割領域に複数台割り当てられる。即ち例えば、表示対象となる遊技機１が４０台の場合、遊技島１１の手前側の遊技機１から２台ずつ、下端の分割領域から順に上端の分割領域まで夫々割り当てる。このように、表示対象が３１台以上の場合には、２０分割となり、２１〜３０台の場合よりも分割領域数が少なくなり、下端の分割領域と上端の分割領域には、遊技島１１の最も手前側と奥側の台番（図１５参照）が表示される。もっとも、この場合でも、当該遊技島１１で表示対象となる全ての遊技機１が、いずれか一つの分割領域に割り当てられる。
【００４１】
図８に示すように、ヴィジュアル表示領域４０ａには、前記イベントとして呼出、点検、不正、サービス呼出１〜３の発生を、該当する分割領域にて特定可能に表示される。これらのイベントは、遊技機１や、呼出ランプ３、貸出機２等の遊技機側からの出力信号に基づき島端表示装置７により特定されるようになっている。具体的には、「呼出」は、呼出ランプ３の操作スイッチ部３ｂの操作による従業員の呼出に相当し、サービス呼出１〜３は、貸出機２における液晶表示部２４のタッチパネルの操作によるワゴンサービスの呼出、タバコ交換の呼出、目押サービスの呼出等に相当する。その優先順位（優先度）は「呼出＞サービス呼出１＞サービス呼出２＞サービス呼出３」とされている。これら呼出の項目数「１〜３」や対応するサービス内容は、優先順位や必要に応じて適宜設定、変更することができる。ヴィジュアル表示領域４０ａにおいて、「不正」は、これらの呼出よりも優先順位が高く、「点検」は、最も優先順位が低いものとして設定されている。尚、「不正」は遊技機側に対する各種の不正行為、「点検」は予め設定された点検項目であり、何れも遊技機側の異常状態の検出信号等に基づき特定される。
【００４２】
こうして、表示対象が３１台以上の場合、ヴィジュアル表示領域４０ａを２０分割にして該当する分割領域に、遊技機１毎（複数台分毎）のイベントを表示する。同じ分割領域に複数のイベントの表示要求（複数のイベントの発生）がある場合、上記した優先順位つまり不正＞呼出＞サービス呼出１＞サービス呼出２＞サービス呼出３＞点検の順で、最も優先順位の高いものを表示し、同一優先順位の場合は経過時間が最も長い（イベント発生時刻が最も早い）ものを表示する。経過時間も同じ場合は、台番が小さい方を優先する。
【００４３】
また、ヴィジュアル表示領域４０ａでは、イベントの種類毎に、異なる表示態様（後述する色分け等）で表示するものとし、呼出、点検、不正が発生している場合には該当する分割領域に台番を表示する。更に、遊技島１１でイベントが複数発生したとき、その対応順を従業員が識別できるように、イベントの発生順に該当する分割領域に番号を表示する（図８参照）。イベントの発生順の番号は、遊技島１１における種類毎に付すものとし、同じ分割領域に複数のイベントの表示要求がある場合、その分割領域内で最も優先順位の高い番号を表示する。例えば図８に示す「１０２１」「１０２７」「１０３２」の台番の遊技機１について、夫々同一のイベント（例えば（呼出））があり、その呼出が「１０３２」「１０２７」「１０２１」の順に発生したとする。この場合、ヴィジュアル表示領域４０ａでは、「１０３２」の台番に対応する分割領域には「１」、「１０２７」の台番に対応する分割領域には「２」、「１０２１」の台番に対応する分割領域には「３」というように呼出順の番号が表示される。また、これら３つの分割領域の背景画像が、いずれも同じ色（例えば緑）で表示され、他の分割領域の背景画像の色と異ならせる。これにより、従業員は、表示色の緑で呼出がなされていること、並びに「１」〜「３」の数字により「１０３２」「１０２７」「１０２１」の順で対応することを一目で視認できる。尚、例えば「１０３２」の台番で呼出と点検の表示要求がなされても、ヴィジュアル表示領域４０ａでは、優先順位に従い「呼出」の色で表示されることとなる。
【００４４】
経過時間表示領域４０ｂには、上記したイベントが発生してからの経過時間が表示される。遊技島１１でイベントが複数発生したとき、経過時間表示領域４０ｂには、経過時間は、「不正＞呼出＞サービス呼出１＞サービス呼出２＞サービス呼出３＞点検」の優先順位で、同一優先順位の場合は経過時間が最も長いものとする。一番高い優先順位の表示要求（条件）が解消された場合、次の優先順位の経過時間を表示する。島端表示装置７が内蔵する記憶部（ＲＯＭ、ＲＡＭ等の記憶手段）は、複数のイベントの経過時間を係る表示領域４０ｂに順次表示するための記憶領域を有する。この経過時間に関する情報について、記憶部に保持するイベントの個数や当該保持の有無は、不正・点検・呼出などの属性も考慮し、夫々前記設定手段による設定が可能とされている。また、記憶部に保持するイベントの個数が、その設定値を超えた場合、最後に発生したイベントも含めて最も優先順位の低いものが削除される。島端表示装置７は、経過時間表示領域４０ｂの背景画像を、表示する時間の経過に伴い、変更するようになっており、その変更時間は例えばデフォルト値として規定されているが、設定手段により例えば１分とする等、適宜変更してもよい。
【００４５】
呼出内容表示領域４０ｃは、リモコン１２の操作により、遊技島１１における呼出、サービス呼出１〜３、点検、不正の詳細を表示する。図８の呼出内容表示領域４０ｃでは、「呼出」の詳細について、該当する「台番」、経過時間、周辺機器の状態の表示例を示している。上記のように「１０３２」の台番で呼出と点検（貸出機２の点検）の表示要求がなされた場合、「呼出」の詳細で貸出機２の点検項目も表示してもよい。また、こうしたイベントが複数同時に発生している場合、リモコン１２の釦の押下によって、優先順位の高い順に１つずつ順送りで表示し、その優先順位が同じときイベントの発生時刻が早いものから順に表示する。また、現在表示されているイベントの表示要求が解消されたとき、次の優先順位のイベント内容の詳細を表示する。こうして規定された順序に従い、呼出内容表示領域４０ｃには、一番目（のイベント内容）→二番目→三番目→一番目…というように、各ベント内容の詳細が順次表示される。呼出表示領域４０ｃは、画面タッチがなされたとき、又は同じイベント内容がリモコン操作の無い状態で継続して所定時間（例えば７秒）表示されたとき、非表示とする。尚、詳しくは作用説明で述べるように、割込画面は、図８に示す画面に限らず、発生したイベントの内容を、該当する分割領域に表示する画面で構成してもよい。
【００４６】
例えばＬＥＤ表示部３２のＬＥＤ１〜２０は、ヴィジュアル表示領域４０ａの２０個の分割領域に対応させて、上記したイベント毎に設定された表示態様で報知する。具体的には、図９に例示するように、各ＬＥＤ１〜２０の発光色は、対応するヴィジュアル表示領域４０ａの分割領域と同じ色、つまり呼出は緑、サービス呼出１は青、サービス呼出２は水色、サービス呼出３は紫、点検は黄、不正は赤というように、イベントに応じて異なる色で点灯する。また、前述したように、同じ分割領域で複数のイベントの表示要求がなされた場合、例えば図９のＮｏ．７以降に示すように遊技者の一人により（一の遊技機１側から）呼出とサービス呼出とがなされた場合、対応するＬＥＤ１〜２０（分割領域）により緑と青とで交互に発光（交互表示）させるようにしてもよい。
【００４７】
また、遊技島１１でイベントが複数発生したとき、対応するＬＥＤ１〜２０は、図１０に例示する表示態様に更新される。具体的には、呼出時の緑での点灯は、その呼出順が１番目、２番目、３番目であると、高速点滅、中速点滅、低速点滅というように、同じ緑色で異なる点滅パターンに変化する。同様に、サービス呼出１〜３、点検、不正の夫々についても、その呼出順等に基づく優先度（下記表示優先順位）により表示態様を異ならせてある。尚、図１０のＮｏ．１９以降は、他の遊技島１１における表示態様を示しており、例えば、上部や下部のＬＥＤ３２ｕ，３２ｄで緑の点灯を行うことにより、他の遊技島１１での呼出を報知する。
【００４８】
ここで、ＬＥＤ表示部３２での表示優先順位は、前述したヴィジュアル表示領域４０ａでの優先順位に対応すると共に前記交互表示を考慮して、図１１に例示する不正と呼出の組合わせを表示する場合を最優先とし、続いて不正とサービス呼出１〜３の組合わせ、不正と点検の組合わせ、不正、…の順とする。
【００４９】
５．カードストック表示画面
図１２は、遊技島１１の各貸出機２における一般カード１０のストック枚数を一覧で表す液晶表示部３１のカードストック表示画面を例示している。カードストック表示画面も、各貸出機２に対応付けて区分された分割領域で構成されており、各分割領域には、対応する遊技機１の台番の表示４１ａと、稼働状態の表示４１ｂと、貸出機２のストック枚数の表示４１ｃとがなされる。台番の表示４１ａは、台データ一覧画面等と同様に、遊技島１１の手前側の遊技機１から順に、下端の分割領域から上端の分割領域にわたって割り当てられる。稼働状態の表示４１ｂも、台データ一覧画面と同様のアイコンで、空台＞食事中＞特賞中＞稼働＞非稼働の優先順位に従い表示される。そして、ストック枚数の表示４１ｃは、各貸出機２での一般カード１０の残枚数を数字と図で表示する。また、この表示４１ｃの分割領域における背景色は、貸出機２毎の残枚数に応じて、例えば１枚又は１０枚のとき赤、２枚、３枚、７枚、８枚のとき黄、４〜６枚のとき緑（更に５枚とき数字や図を赤）というように変更することで、視認性を良好なものとしている。
【００５０】
カードストック表示画面では、例えば２５台分の残枚数等の情報を各分割領域で表わすものとする。図１２に示すように２５台分に満たない情報を表示する場合、各分割領域を液晶表示部３１の上側に寄せて表示し、その下側に背景画像を表示してもよい。また、２６台分以上の情報を表示する場合、２１台目以降を次頁以降とし、液晶表示部３１に前記スクロールキーを表示して画面のスクロールを行うようにしてもよい。こうして、一の島端表示装置７で、遊技島１１における一般カード１０の残枚数を視認でき、従業員の作業負担が軽減される。
【００５１】
カードストック表示画面への遷移は、前記リモコン１２の「ストック確認釦」の押下により行われ、当該表示画面は、リモコン操作の無い状態で継続して所定時間（例えば１０秒）表示されたとき、又は画面タッチがなされたとき遷移前の画面に復帰する。また、一の島端表示装置７において、リモコン操作により、遊技場における全ての遊技島１１（他の島端表示装置７）のカードストック表示画面への切り替えを可能としている。この場合、他の遊技島１１における一般カード１０の残枚数を表わす各カードストック表示画面が例えば１分の間に順次表示され、途中で「ストック確認釦」が押下されると、その押下から例えば１０秒で前記遷移前の画面に復帰する。
【００５２】
６．新台アピール画面
図１３は、一の遊技島１１に４つの島端表示装置７を配設した場合における新台アピール画面を示している。即ち、各遊技島１１の島端には、左側に位置する上下一対の島端表示装置７Ｌｕ、７Ｌｄと、右側に位置する上下一対の島端表示装置７Ｒｕ、７Ｒｄとが設けられている。これら４つの島端表示装置７Ｌｕ〜７Ｒｄにより、各遊技島１１で一斉に新台に関する演出を実行する。この演出は、液晶表示部３１にてタイトルを表すタイトル動画を再生した後、導入されている新台の機種名と設置台数を順に表示すると共に、ＬＥＤ表示部３２にて液晶表示部３１の表示に合わせた発光態様で報知する。また、遊技場（店舗内）に複数機種の新台が導入されている場合、設置台数が多い機種の順に、設置台数が同数のときには導入日の新しい順に、更に導入日も同じときには、遊技場で営業機種として優先順を設定することで、機種毎に新台をアピールする。
【００５３】
島端表示装置７Ｌｕ〜７Ｒｄが設置された遊技島１１に、新台が導入されているか否かで、島端表示装置７Ｌｕ〜７Ｒｄにおける液晶表示部３１の背景画像とＬＥＤ表示部３２の発光態様を異ならせる。例えば図１３に示すように、島端表示装置７Ｌｕ、７Ｌｄでは、対応する遊技島１１の左側の遊技機１が新台であること、島端表示装置７Ｒｕ、７Ｒｄでは、対応する遊技島１１の右側の遊技機１が新台でないことが、液晶表示部３１の背景画像の相違及びＬＥＤ表示部３２の発光態様の相違（当該表示装置７７Ｌｄにおける表示部３１，３２のハッチング参照）により識別される。また、図示しない他の遊技島の島端表示装置でも、島端表示装置７Ｒｕ、７Ｒｄと同じ報知を行うことで、他の遊技島に新台の遊技機１があることを報知して、遊技者に新台コナーの位置を気付かせる。
【００５４】
前記タイトル動画は、上側の島端表示装置７Ｌｕ、７Ｒｕと下側の島端表示装置７Ｌｄ、７Ｒｄとで、上下二連の動画として各液晶表示部３１で同期した表示を行い、夫々の動画に合わせて各ＬＥＤ表示部３２の発光態様を連動させる。その後、上側の島端表示装置７Ｌｕ、７Ｒｕでは新台を紹介する動画を繰り返し再生し、下側の島端表示装置７Ｌｄ、７Ｒｄでは、上記した機種名と設置台数の表示を順に行う。この点、島端表示装置７が上下二連ではなく、単体で用いられる場合には、上記した下側の島端表示装置７Ｌｄ、７Ｒｄと同じ表示順で表示すればよい。
【００５５】
こうした新台アピール画面に係る演出は、島端表示装置７Ｌｕ〜７Ｒｄ自身の計時機能、或いは外部端末から各装置７Ｌｕ〜７Ｒｄに送信される入力信号に基づき、所定時間間隔で実行される。このような時間的イベント条件は、全ての島端表示装置７Ｌｕ〜７Ｒｄで基準となる当日の時刻（０：００）が一致するように設定され、島端表示装置７Ｌｕ〜７Ｒｄで一斉に演出が開始された後、全ての新台に関する機種の表示を終えると、この演出を終了する。また、島端表示装置７Ｌｕ〜７Ｒｄは、時間的イベント条件として、設定手段により設定された新台の導入日時を参照し、導入日からの経過日数（新台表示日数）が零のときや、新台に該当する機種がないと判断した場合、新台アピール画面に係る演出を実行しない。尚、演出時における機種名の切替えタイミングは、動画再生の開始時（終了時）とされ、動画と連動して機種名が切替わる。
【００５６】
続いて、上記構成の作用について図１４、図１５も参照しながら説明する。ここで、図１４は、島端表示装置７として種々の配置形態をとる各装置７Ｌ，７Ｒ，７Ｌｕ〜７Ｒｄにおける表示画面の遷移図である。
【００５７】
島端表示装置７は、番組画面として機種名表示画面（他のテレビ番組等の映像でもよい）を液晶表示部３１に表示させる（図１４のＳ１）。機種名表示画面の表示領域は、遊技島１１における遊技機１の位置関係に応じて機種毎に区分され、その区分した分割領域に機種名や設置台数等の表示３６ａ〜３６ｃがなされる（図４、図５参照）。また、島端表示装置７は、遊技機１や、呼出ランプ３、貸出機２等の遊技機側の機器について、新台、稼働率、空台、及びメイン機種に関するいずれかの表示条件（Ｓ２）を満たす特別状態にあることを特定した場合、付加情報画面（情報画面）に遷移する（Ｓ３）。付加情報画面は、液晶表示部３１における機種名表示画面の表示３６ａ〜３６ｃの縦の倍率を縮小して、下のスペースに「新台」等の付加情報の表示３６ｅを行うと共に、該当する機種の分割領域に「新台（準新台）」の表示３６ｄを付加する（図３（ｂ）、図６（ａ）参照）。尚、Ｓ２の表示条件を満たさない場合、つまり新台に相当する機種がなく、稼働率が設定値より低い場合等には、付加情報画面から機種名表示画面に遷移する。
【００５８】
島端表示装置７は、新台の導入日時を参照し、時間的イベント条件（Ｓ４）を満たすと判断した場合、液晶表示部３１に表示されていた機種名表示画面或いは付加情報画面から新台アピール画面に遷移させる（Ｓ５）。これにより、所定の時間間隔で、新台アピール画面が遊技場における各島端表示装置７にて一斉に表示され、全ての新台に関する機種の表示を終えると、元の機種名表示画面、或いは付加情報画面に復帰する。また、液晶表示部３１に、機種名表示画面、付加情報画面、新台アピール画面のいずれかが表示されている場合において、遊技機側の機器にて呼出、点検、不正、サービス呼出１〜３のいずれかのイベント条件（Ｓ６）を満たす特別状態にあることを特定した場合、割込画面へ遷移させる（Ｓ７）。これにより、液晶表示部３１では、発生したイベントの内容が該当する分割領域（ヴィジュアル表示領域４０ａ）にて特定可能に表示されると共に、呼出内容表示領域４０ｃ及びＬＥＤ表示部３２の発光態様でイベント内容が表示される。このため、従業員は即座に該当する遊技機側の機器と、そのイベント内容を識別して対応をとることができる。これにより、Ｓ６のイベント条件が解消されると、割込画面に遷移する前の画面に復帰する。尚、画面を表示する順番を変更してもよく、例えば、Ｓ１，Ｓ３，Ｓ５，Ｓ７を所定時間毎にローテーション表示する構成としてもよい。
【００５９】
ここで、島端表示装置７において、人感センサがオンとなり、或いは画面タッチがなされたか否かが判別されることにより（Ｓ９、Ｓ１０）、優先的に以下の画面に切り替わる。即ち、島端表示装置７により人感センサのオンが判別されると（Ｓ１１）、人感センサ・オン画面が表示される（Ｓ１２）。また、島端表示装置７において、人感センサ・オン画面が表示された後、又は画面タッチがなされたと判別すると（Ｓ１３）、バラエティ設定が有る場合、機種名表示画面に遷移する（Ｓ１５）。そして、機種名表示画面の台データ表示キーの画面タッチがなされると（Ｓ１６）、台データ一覧画面が表示される（Ｓ１７）。島端表示装置７は、遊技機側の機器に関し、空台、食事中、特賞中、非稼働といった稼働状態、或いは大当回数や持ち玉といった各種のデータを、台データ一覧画面で該当する分割領域毎に機種名と共に表示する（図６（ｃ）（ｄ）参照）。Ｓ１５の機種名表示画面やＳ１６の台データ一覧画面の表示が、人感センサによる検知や画面タッチの検知がなされることなく所定時間（例えば２０秒）継続した場合、Ｓ９に移行する前の画面に復帰する。
【００６０】
更に、島端表示装置７は、上記した各画面のいずれかが表示されている場合において、リモコン１２の操作により（Ｓ１８）、カードストック表示画面に遷移する（Ｓ１９）。カードストック表示画面では、各貸出機２における一般カード１０のストック状態を特定して、台番毎に対応付けて区分した分割領域に、夫々のストック状態を前記稼働状態と共に表示する（図１２参照）。この表示画面への遷移は、一般カード１０のストックが切れた貸出機２を特定する等、所定のイベント条件を満たす場合に行うようにしてもよい。こうして、カードストック表示画面は、従業員により貸出機２に対する一般カード１０の補充がなされた場合、或いはリモコン操作の無い状態で継続して所定時間（例えば１０秒）表示されたとき（又は画面タッチがなされたとき）遷移前の画面に復帰する。
【００６１】
島端表示装置７における表示領域は、上記した液晶表示部３１の各画面と併せて、これに沿うように配列されたＬＥＤ表示部３２の各ＬＥＤ１〜２０で構成され、そのＬＥＤ１〜２０でも報知が行われる。この報知について、図１５に示す割込画面を例に具体的に説明する。
【００６２】
同図に示すように、ＬＥＤ表示部３２の２０個のＬＥＤ１〜２０は、遊技島１１における４０台の遊技機１に対応しており、１個のＬＥＤに対して２台の遊技機１が割り当てられている。従って、島端表示装置７は例えば、遊技機１からの不正信号に基づき、遊技島１１の奥方から５番目の遊技機１に「不正」が発生したと特定した場合、ＬＥＤ１〜２０のうち上から３番目のＬＥＤ３を赤で高速点灯させる。
【００６３】
また、１個のＬＥＤにおいて、対応する２台の遊技機１の両方にて何らかの状態変化（特別状態）が発生している場合、優先度の最高いイベントの報知を実行する。ここで、ＬＥＤ表示部３２で表示する表示態様や優先度は、図９〜図１１の例に限らず、例えば「不正」についても遊技機側の機器の種類により、表示態様を異ならせてもよい。例えば、「不正１」を遊技機１からの不正信号、「不正２」を貸出機２からの不正信号に基づき特定する。また、この場合、「呼出」を呼出ランプ３における呼出操作により、「サービス呼出１、サービス呼出２」を貸出機２における呼出操作により特定したものとする。このとき、優先度は、不正１（赤の高速点滅）＞不正２（赤の中速点滅）＞呼出（青の高速点滅）＞サービス呼出１（ワゴンサービス、青の中速点滅）＞サービス呼出２（タバコ交換呼出、青の低速点滅）の順に報知する。こうしたイベントの発生は、管理装置６や呼出ランプ３等で遊技機１の遊技データを監視し、遊技データから不正の発生を特定する構成としてもよい。
【００６４】
図１５（ａ）に示すように、ＬＥＤ６は青で中速点滅しており、ＬＥＤ１５は青で高速点滅している。これらの発光により、１２番目か１３番目の遊技機１でワゴンサービスの呼出がなされ、３０番目か３１番目の遊技機１に対応した呼出ランプ３で呼出操作が行われたことがわかる。このように、ＬＥＤ１〜２０は、その個数により遊技機１の位置に対応付けて区分される表示領域を表わす。また、図１５（ａ）に示すように、液晶表示部３１では、ＬＥＤ６に対応する位置に「１３番台  ワゴン呼出」と表示され、ＬＥＤ１５に対応する位置に「３０番台  呼出」と表示される。このように、液晶表示部３１における、呼出内容の表示位置を特定する場合、（画面における縦方向の画素数）／（ＬＥＤの数）を算出して、各ＬＥＤ１〜２０の区分に対応した縦方向の画素数（単位画素数）を求める。これにより、液晶表示部３１では、ＬＥＤの１〜２０の番号と単位画素数に基づき、ＬＥＤ１〜２０の区分に合わせた上下方向の表示位置を特定することができる。
【００６５】
図１５（ｂ）に示すように、例えば１３番目の遊技機１でワゴンサービスの呼出がなされている状態で１２番目の遊技機１で不正が発生すると、ＬＥＤ６は、青での中速点滅を終了して、赤での高速点滅を開始する。また、この場合、液晶表示部３１では、ＬＥＤ６に対応する位置に「１２番台チェック」の表示を追加する。更に、貸出機２、呼出ランプ３、遊技機１が夫々特別状態である場合も同様に、ＬＥＤ表示部３２と液晶表示部３１とで、優先順位が一番高いものを表示する。
【００６６】
こうして、島端表示装置７では、ＬＥＤ表示部３２と液晶表示部３１との両方で報知を行っている。ＬＥＤは、比較的遠くからの視認性を高められるが発光領域（表示領域の区分）が曖昧となる。液晶画面は遠くからの視認性（特に液晶画面の左右方向からの視認性）はＬＥＤに劣るものの表示領域を明確に区分して表示することができる。よって、ＬＥＤ表示部３２と液晶表示部３１との両方で報知することで、該当する遊技機１や周辺機器を特定し易くなり、視認性を向上させることができる。また、従業員は、優先度の高い種類の特別状態に対応するために、その遊技機１の位置まで行けば、優先度の低い種類の特別状態の発生にも気付くことが考えられ、優先度の高い種類の特別状態のみを報知しても不具合が生じにくい。
【００６７】
尚、図１５の例とは異なり、２０個のＬＥＤ１〜２０に対して例えば５０台の遊技機１を割り当てる場合、対応するＬＥＤは、（ＬＥＤの数）／（遊技機の台数）×（求めたい遊技機の順番）を算出して得られる算出値の整数部分とする。具体的には、遊技機５０台で３１番目の遊技機は、２０／５０×３１＝１２．４となり、上から１２番目のＬＥＤ、つまりＬＥＤ１２が対応することになる。このように、島端表示装置７は、遊技島１１の遊技機１の設置台数を入力すると自動的に対応するＬＥＤを割り振るようになっている。つまり、遊技機１の台数から比によっていずれのＬＥＤをいずれの遊技機１に対応付けて区分するかを決定している。
【００６８】
このような実施形態によれば、次のような効果を奏することが出来る。
島端表示装置７は、遊技機側の特別機器が特別状態である場合、当該特別状態の種類をその特別機器の位置に対応付けて区分した表示領域に表示報知する。これによれば、特別状態となっている特別機器を直接見なくとも、島端表示装置７を見れば特別状態の種類及び特別機器の位置を特定し易く、特別状態への対応を素早く行うことが可能となる。また、遊技島１１に区分数以上の遊技機器を設置する場合には、区分した一の表示領域に複数の遊技機器を対応付けるため、区分数と遊技機器の数を完全に同数とする必要がなく、遊技島１１の配置や島端表示装置７の表示態様の自由度を高くすることが可能となる。
【００６９】
区分した一の表示領域に複数の特別機器を対応付けている場合、それら複数の特別機器において特別状態となった特別機器が複数発生すると、一の表示領域で表示報知しきれなくなってしまい、重要度の高い特別状態の発生が特定しにくくなるおそれがある。これに対して、島端表示装置７によれば、優先度の高い特別状態の種類ついては最低限特定可能に報知を行うので、重要度の高い特別状態の発生が特定できなくなることを抑制できる。
【００７０】
島端表示装置７のＬＥＤ表示部３２は、発光体を並べることで表示領域を構成するため、発光体の数までしか表示領域を区分できなくなってしまうが、上記した区分数に係る構成を適用することで、表示領域の区分数が比較的少ないとしても区分数以上の遊技機器の設置に対応することが可能となる。
【００７１】
（その他の実施形態）
本発明は、上記実施形態に限定されることなく、次のように変形または拡張したり、各変形例を上記実施形態と組合せたりしてもよい。
例示した遊技機１以外の遊技機に本願発明を適用しても良く、例えば、スロットマシンに適用してもよい。また、パチンコ遊技機として、玉が封入されており、遊技者が玉にさわることができず、クレジットや得点を消費して玉を発射する封入式パチンコ遊技機や、クレジットや得点を消費してリールが回転する等ゲームが進行する完全クレジット式のスロットマシンに本願発明を適用してもよい。
【００７２】
遊技機１、貸出機２、呼出ランプ３の状態変化を表示する構成としたが、いずれか一つの機器の状態を監視してもよい。また、遊技機１に対応した周辺機器は、貸出機２、呼出ランプ３に限られるものではなく、任意に変更してもよい。
島端表示装置７では、ＬＥＤ表示部３２と液晶表示部３１との両方で不正を検知した機器の位置を特定可能に報知を実行する構成としたが、一方の表示部のみで実行するようにしてもよい。また、液晶表示部３１を複数の領域に区分して機器の場所を報知する場合、液晶表示部３１においても一の領域が複数の機器に対応してもよい。
【００７３】
報知を行う場合の優先順位は任意に変更してもよい。例えば、遊技機１の不正よりも貸出機２の不正を優先して報知する構成が考えられる。
発光体としてＬＥＤを使用したが、ＬＥＤ以外の発光体を用いることも可能である。
島端表示装置７は遊技島１１の入口側に設ける構成としたが、設置位置は遊技島１１において任意に変更してもよい。いずれの場所であっても表示内容を管理者が確認することで、状態変化が発生している機器の場所を特定することができる。
【００７４】
遊技機側からの異常信号等は、中継装置４を介して島端表示装置７に入力する構成としたが、管理装置６を介して入力する構成としてもよい。また、例えば管理装置６で遊技機側の機器の特別状態を特定し、その特定結果を島端表示装置７で受信する等、特別機器特定手段や、特別状態特定手段は、島端表示装置７の外部の装置で構成してもよい。また、変形例を含む例示した構成をどのように組合せても良いし、適宜構成を除外しても良い。
【符号の説明】
【００７５】
図面中、１は遊技機（特別機器）、２は貸出機（特別機器）、３は呼出ランプ（特別機器）、７は島端表示装置（特別機器特定手段、特別状態特定手段、表示手段、区分手段）、１１は遊技島である。
【図１】
2015188631.tif 000003
【図２】
2015188631.tif 000004
【図４】
2015188631.tif 000005
【図５】
2015188631.tif 000006
【図６】
2015188631.tif 000007
【図７】
2015188631.tif 000008
【図８】
2015188631.tif 000009
【図９】
2015188631.tif 000010
【図１０】
2015188631.tif 000011
【図１１】
2015188631.tif 000012
【図１２】
2015188631.tif 000013
【図１３】
2015188631.tif 000014
【図１４】
2015188631.tif 000015
【図１５】
2015188631.tif 000016
【図３】
2015188631.tif 000017